(57)【要約】【課題】水を噴射してフィルタからリントを分離する洗濯乾燥機において、フィルタの着脱がしやすくメンテナンス性に優れた洗濯乾燥機を提供する。【解決手段】  循環風路１８内を流れる空気に含まれるリントを捕獲するフィルタ６０と、フィルタ６０に水を噴射してフィルタ６０からリントを分離する放水部７０とを備える洗濯乾燥機において、循環風路１８は、変形部である蛇腹部２２ａを有し排気口１９に接続される排気ダクト２２を備え、フィルタ６０は、排気口１９と排気ダクト２２と間に設けられ、放水部７０は、蛇腹部２２ａより空気の流れ方向の下流側に設けられている。【選択図】        図５
2018117898.tif 000002
【特許請求の範囲】
【請求項１】
排気口及び給気口を有する水槽と、
前記水槽内に回転可能に設けられた回転槽と、
前記排気口及び前記給気口を連結する循環風路と、
前記水槽内の空気を前記排気口から前記給気口へ前記循環風路を通して循環させる送風手段と、
前記循環風路内を流れる空気を除湿及び加熱する除湿加熱手段と、
前記循環風路内を流れる空気に含まれるリントを捕獲するフィルタと、
前記フィルタに水を噴射して前記フィルタからリントを分離する放水部と、を備える洗濯乾燥機において、
前記循環風路は、変形部を有して前記排気口に接続される排気ダクトを備え、
前記フィルタは、前記排気口と前記排気ダクトと間に設けられ、
前記放水部は、前記変形部より空気の流れ方向の下流側に設けられている洗濯乾燥機。
【請求項２】
前記フィルタが、前記水槽に対して取り外し可能なフィルタ設置部材に設けられている請求項１に記載の洗濯乾燥機。
【請求項３】
洗濯物を洗う洗濯工程又は洗濯物を乾燥する乾燥工程の開始前に前記放水部が前記フィルタに水を噴射する請求項１又は２に記載の洗濯乾燥機。
【請求項４】
前記回転槽内に投入された洗濯物の重量を検知する重量検知手段と、前回の乾燥工程において乾燥させた洗濯物の重量を記憶する記憶手段とを備え、
前記放水部が噴射する水量が、前回の乾燥工程において前記重量検知手段が検知した洗濯物の重量に応じて変化する請求項１〜３のいずれか１項に記載の洗濯乾燥機。
【請求項５】
前記回転槽内に投入された洗濯物の種類を検知する洗濯物種類検知手段と、前回の乾燥工程において乾燥させた洗濯物の種類を記憶する記憶手段とを備え、
前記放水部が噴射する水量が、前回の乾燥工程において前記洗濯物種類検知手段が検知した洗濯物の種類に応じて変化する請求項１〜４のいずれか１項に記載の洗濯乾燥機。
【発明の詳細な説明】
【技術分野】
【０００１】
本発明の実施形態は洗濯乾燥機に関する。
【背景技術】
【０００２】
洗濯乾燥機は、乾燥室として機能する水槽の外側に循環風路が設けられ、その循環風路内に、除湿加熱手段、及び送風機とが設けられている。そして、乾燥運転時に送風機の送風作用により乾燥室内の空気を循環風路を通して循環させ、このとき、加熱手段により加熱された空気を乾燥室内に送ることで乾燥室内の洗濯物を加熱させるとともに湿気を回収し、湿気を含んだ循環空気は循環風路を通して除湿手段によって除湿され、これを繰り返して乾燥が進行する。
【０００３】
このような洗濯乾燥機では、乾燥運転の実行に伴って洗濯物から発生する糸くず等のリントが、水槽内の空気と共に循環風路内に取り込まれ除湿加熱手段や送風機等に堆積する。これを防ぐため、循環風路内における除湿加熱手段や送風機等の上流側にリントを捕獲するフィルタが設けられているが、フィルタにリントが堆積すると目詰まりして乾燥性能が低下する。そこで、従来より、フィルタに洗浄水を噴射してフィルタからリントを除去するフィルタ洗浄部を備えた洗濯乾燥機が知られている（例えば、下記特許文献１参照）。
【０００４】
しかしながら、下記特許文献１では、水槽の外周面に形成された筒状の空気回収口の内側にフィルタとその空気流れ方向下流側にフィルタ洗浄部とが設けられているため、フィルタ洗浄部を外さなければフィルタを空気回収口に対して着脱することができず、着脱作業が煩雑となりメンテナンスが困難である。
【先行技術文献】
【特許文献】
【０００５】
【特許文献１】特表２０１５−５１１８５２号公報
【発明の概要】
【発明が解決しようとする課題】
【０００６】
そこで、循環風路内を流れる空気に含まれるリントを捕獲するフィルタに水を噴射してフィルタからリントを分離する洗濯乾燥機において、フィルタの着脱がしやすくメンテナンス性に優れた洗濯乾燥機を提供することを目的とする。
【課題を解決するための手段】
【０００７】
本発明に係る洗濯乾燥機は、排気口及び給気口を有する水槽と、前記水槽内に回転可能に設けられた回転槽と、前記排気口及び前記給気口を連結する循環風路と、前記水槽内の空気を前記排気口から前記給気口へ前記循環風路を通して循環させる送風手段と、前記循環風路内を流れる空気を除湿及び加熱する除湿加熱手段と、前記循環風路内を流れる空気に含まれるリントを捕獲するフィルタと、前記フィルタに水を噴射して前記フィルタからリントを分離する放水部と、を備える洗濯乾燥機において、前記循環風路は変形部、具体的には蛇腹部を有して前記排気口に接続される排気ダクトを備え、前記フィルタは、前記排気口と前記排気ダクトと間に設けられ、前記放水部は、前記蛇腹部より空気の流れ方向の下流側に設けられている。
【図面の簡単な説明】
【０００８】
【図１】一実施形態による洗濯乾燥機の概略構成を示す縦断側面図。
【図２】図１の洗濯乾燥機の概略構成を示す縦断背面図。
【図３】図１の洗濯乾燥機の外観斜視図
【図４】洗濯乾燥機の概略構成について外箱を除いて示す平面図。
【図５】図４のＡ−Ａ断面図。
【図６】フィルタ設置部材の斜視図。
【図７】図５のＢ−Ｂ断面図。
【図８】図１の洗濯乾燥機の電気構成を示すブロック図。
【図９】リント除去工程を制御の一例を示すフロー図。
【図１０】洗濯物の重量とリント除去工程時に放水する水量とを示す図。
【図１１】変更例における洗濯物の重量及び種類とリント除去工程時に放水する水量とを示す図。
【発明を実施するための形態】
【０００９】
以下、図面を参照しながら本発明の構成について説明する。
【００１０】
本実施形態の洗濯乾燥機は、図１〜図３に示すような洗濯物の洗濯機能と乾燥機能を備えたドラム式洗濯乾燥機である。なお、本実施形態では、洗濯乾燥機としてドラム式の洗濯乾燥機を例示して説明するが、縦軸型の洗濯乾燥機であってもよい。
【００１１】
洗濯乾燥機１の外殻を構成する外箱２の前面部２ａには、洗濯物出入口を開閉する扉３（図１参照）が設けられている。外箱２の天板部２ｂの前部には、操作パネル４（図３参照）が設けられている。
【００１２】
外箱２の内部には、図１及び図２に示すように水槽７がサスペンションにより弾性的に支持されている。水槽７は、前面に開口し後面が水槽端板により閉鎖する円筒状をなしており、その内部に円筒状の回転槽１４が回転可能に配設されている。水槽７は、中心軸線が前後方向を向く横向きで、かつやや前上がりの傾斜状態で配置されていて、前面開口部がベローズ８を介して前記洗濯物出入口に接続されている。洗濯乾燥機１には、水槽７内へ給水するための給水装置４０が設けられている。
【００１３】
給水装置４０は、図２及び図４に示すように、水槽７の左右方向の中心、つまり水槽７の円筒の外周面の最頂部から左右方向へ離れた位置に設けられている。本実施形態の場合、給水装置４０は、洗濯乾燥機の前方から見て、回転槽１４の最頂部から左方向へ離れた位置に設けられている。
【００１４】
給水装置４０は、給水弁４１、注水ケース４２などから構成されている。給水弁４１は、一つの入力部４１ａと、第一出水部４１ｂ及び第二出水部４１ｃを有する三方弁であって、制御装置１０の制御に基づいて開閉駆動される電磁弁で構成されている。給水弁４１は、入水部４１ａと第一出水部４１ｂ及び第二出水部４１ｃとの接続を遮断する閉止状態と、入水部４１ａと第一出水部４１ｂを連通する第一開放状態と、入水部４１ａと第二出水部４１ｃを連通する第二開放状態と切り替える。
【００１５】
給水弁４１の入水部４１ａは、図２に示す給水ホース４３を介して水道の蛇口など外部の水源に接続される。給水弁４１の第一出水部４１ｂは、注水ケース４２に接続されている。注水ケース４２は、不図示の洗剤投入ケースを有し、給水弁４１が第一開放状態に切り替えられると、給水ホース４３及び給水弁４１を介して供給された水によって、使用者が洗剤投入ケースから注水ケース４２の内部へ投入した洗剤を溶解して水槽７内へ注水する。給水弁４１の第二出水部４１ｃは、後述する給水管７１を介して放水部７０に接続され、給水ホース４３及び給水弁４１を介して供給された水が放水部７０より放水される。
【００１６】
水槽７の後側底部には排水口１１が設けられていて、この排水口１１に排水弁１２を介して排水管１３が接続されている。排水弁１２が閉鎖された状態で給水装置４０から水槽７内に水が供給された場合には、その水は水槽７内に貯留される。排水弁１２が開放されることに伴い、水槽７内に貯留されていた水は、排水管１３を通して機外へ排出される。
【００１７】
水槽７内には、前面が開口し後面が閉塞された円筒状の回転槽１４が回転可能に配設されている。回転槽１４は、その軸方向が前後方向の横軸状態であって前上がりにやや傾斜した状態で水槽７内に配設されている。回転槽１４の周壁及び背面壁には通水及び通風が可能な孔１５が多数形成されており、この孔１５によって回転槽１４の内部が水槽７と連通している。回転槽１４の前面開口部も洗濯物出入口に連通しており、回転槽１４は洗濯物出入口から投入される洗濯物を収容する。回転槽１４は、水槽７の背面に設けられたモータ１６により回転駆動される。このような構成の回転槽１４は、洗い行程時には洗濯槽として、脱水行程時には脱水槽として、さらに乾燥運転時には乾燥槽として機能する。
【００１８】
また、水槽７は、排気口１９及び給気口２０を有し、排気口１９及び給気口２０に循環風路１８が接続されている。排気口１９は、水槽７の筒状部分を構成する周壁の上部前寄り部分にあって、水槽７の左右方向の中心つまり水槽７の筒状の外周面の最頂部から左右方向へ離れた位置に上方へ向けて開口するように設けられている。本実施形態の場合、排気口１９は、洗濯乾燥機１の前面から見て、水槽７の最頂部から右方向へ離れた位置から上方へ向かって突出する中空の筒部１７の内側に形成されている。給気口２０は、水槽７の背面の中心よりやや上寄り部分に設けられている。排気口１９及び給気口２０は、水槽７の内部と外部とを連通している。
【００１９】
排気口１９及び給気口２０に接続される循環風路１８は、乾燥運転時の空気の流れに対して上流側から順に、排気ダクト２２、フィルタ洗浄部５０、補助フィルタ部２３、中間ダクト２４、熱交換部３０、及び給気ダクト２６とを備え、排気口１９に接続された排気ダクト２２より水槽７内の空気を排気し、給気口２０に接続された給気ダクト２６より循環風路１８を流れた空気を水槽７内へ供給する。
【００２０】
熱交換部３０は、外箱２の内側下部にあって、水槽７及び回転槽１４の下方に設けられている。熱交換部３０は、内部を通過する空気を除湿及び加熱することで乾燥した温風を生成する除湿加熱手段として機能する。熱交換部３０は、図１及び図２に示すように、内部に蒸発器３１及び凝縮器３２を有している。蒸発器３１は、乾燥運転時における熱交換部３０内の空気の流れに対して、凝縮器３２よりも上流側に設けられている。蒸発器３１及び凝縮器３２は、熱交換部３０の外側に設けられた圧縮機３４とともに、ヒートポンプ機構すなわち冷凍サイクルを構成する。熱交換部３０内を通る空気は、蒸発器３１によって冷却され、これにより除湿される。蒸発器３１によって除湿された空気は、その後、凝縮器３２によって加熱されて温風になる。
【００２１】
熱交換部３０の下流側は、給気ダクト２６によって水槽７の給気口２０に接続されている。熱交換部３０と給気ダクト２６との接続部分には、例えばシロッコファンなどで構成された送風ファン２７が設けられている。送風ファン２７は、熱交換部３０内の空気を吸い込み給気ダクト２６側へ吐出して、水槽７内の空気を排気口１９から給気口２０へ循環風路１８を通して循環させる。これにより、熱交換部３０で除湿及び加熱された温風は、送風ファン２７の送風作用によって、給気口２０から水槽７、さらには回転槽１４内へ供給される。
【００２２】
排気ダクト２２は、図１及び図５に示すように、排気口１９から上方へ向かって延びる蛇腹部２２ａを変形部として有するダクトであって、水槽７に生じる振動をここで吸収してフィルタ洗浄部５０に対する振動の伝達を抑制しつつ水槽７とフィルタ洗浄部５０とを配管接続する。
【００２３】
排気ダクト２２と排気口１９との間には、排気口１９から排気され水槽７内の空気に含まれるリントを捕獲する網目状のフィルタ６０が設けられている。
【００２４】
フィルタ６０は、水槽７の外周面から上方へ向かって突出する中空の筒部１７の内側に挿入される合成樹脂製のフィルタ設置部材６２に設けられている。具体的には、フィルタ設置部材６２は、図６に示すように、筒部１７の内側に抜き差し可能な取付部６３と、取付部６３の外周面から突出する鍔部６４と、鍔部６４より取付部６３の反対側へ突出する筒状の接続部６５とを備え、取付部６３の端面にフィルタ６０がフィルタ設置部材６２の長手方向に対し傾斜した状態の平面として周囲を溶着などにより固定して設けられ、接続部６５に排気ダクト２２の下端部が接続されている。
【００２５】
フィルタ設置部材６２は、水槽７に設けられた筒部１７の内側に取付部６３を挿入することでフィルタ６０が排気口１９を覆うように筒部１７の内側に配設され、取付部６３を筒部１７から抜き取ることでフィルタ６０が水槽７から取り外される、すなわち循環風路を構成する排気ダクト２２はフィルタ設置部材６２を介して筒部１７つまり排気口１９に着脱可能に接続されている。本実施形態では、取付部６３を筒部１７に挿入すると、フィルタ６０が水槽７の内周曲面に沿ってその傾斜方向を合せて配置される。
【００２６】
フィルタ洗浄部５０は、排気ダクト２２の上側開口部と補助フィルタ部２３とを接続するＬ字状に屈曲したＬ字ダクト５１と、Ｌ字ダクト５１に設けられた放水部７０とを備える。
【００２７】
放水部７０は、排気ダクト２２の上方よりフィルタ６０へ向けて水を放水する放水ノズルであって、排気ダクト２２の上側開口部の上方に配置されている。
【００２８】
放水部７０は、図４及び図５に示すように、給水管７１を介して給水弁４１の第二出水部４１ｃに接続され、給水弁４１が第二開放状態に切り替えられると、放水部７０の内部に形成された貯水部７３に給水ホース４３、給水弁４１及び給水管７１を介して水が供給される。
【００２９】
図７に示すように、貯水部７３は、円柱状の空間であり、その中心位置の下面にフィルタ６０へ向けて水を吐出する噴射口７２が下方にやや拡開したテーパ形状に開口している。また、貯水部７３は、中心位置をはずれた位置に向けて給水管７１から水が導入されるように、給水管７１がオフセンター位置に接続されている。これにより、給水管７１から貯水部７３に水が導入されると、貯水部７３で渦流が発生し噴射口７２から拡散するように下方へ向けて放水され、フィルタ６０全体に上方より満遍なく水をかけてフィルタ６０に付着したリントを洗い流す。フィルタ６０に付着したリントを洗い流した水は、回転槽１４の外周面や水槽７の内周面を伝って水槽７の底部へ流れ落ちる。その後、水槽７の底部へ流れ落ちた水は、リントとともに排水口１１から洗濯乾燥機１の外部へ排出される。
【００３０】
なお、図５に示すように、排気ダクト２２が上下方向に対して傾斜して延びている場合、放水部７０が噴射口７２から放水する方向を排気ダクト２２の軸方向に沿わせて傾斜させてもよい。
【００３１】
補助フィルタ部２３は、上面に開口する矩形筒状のフィルタケース２８と、フィルタケース２８に設けられた補助フィルタ２９を備える。フィルタケース２８の上面に設けられた開口部は、外箱２の天板部２ｂに設けられた開口部２ｃと上下に連通し、天板部２ｂの開口部２ｃとともに蓋体９によって開閉可能に閉塞されている。このような補助フィルタ部２３は、蓋体９を開放すると天板部２ｂの開口部２ｃからフィルタケース２８内部へ補助フィルタ２９を出し入れできるようになっている。
【００３２】
補助フィルタ２９は、排気口１９と排気ダクト２２との間に設けられたフィルタ６０より乾燥運転時の空気の流れに対して下流側に設けられており、フィルタ６０に比べて網目が小さいメッシュから構成されている。
【００３３】
フィルタケース２８は、一端にフィルタ洗浄部５０が接続され、他端に中間ダクト２４が接続されており、排気口１９から排気されフィルタ６０を通過した水槽７内の空気が流れる。その際、フィルタケース２８を流れる空気が補助フィルタ２９を通過することで、フィルタ６０を通り抜けた比較的小さなリントを補助フィルタ２９が捕集する。
【００３４】
外箱２内の下部の前部には、制御手段を構成する制御装置１０が設けられている（図１参照）。この制御装置１０は、図８に示すようにマイクロコンピュータとメモリ１０ａを主体に構成されていて、操作パネル４における電源オンキー５ａ、電源オフキー５ｂ、タッチパネル６の入力部などからの信号や、予めメモリ１０ａに記憶した制御プログラムに基づき、操作パネル４の表示部、給水装置４０の給水弁４１、排水弁１２、モータ１６、送風ファン２７、圧縮機３４などを制御することで洗濯工程や乾燥工程を実行する。また、制御装置１０は、洗濯工程や乾燥行程の開始前等にフィルタ６０に付着したリントを除去するリント除去工程を実行する。
【００３５】
例えば、使用者が洗濯工程及び乾燥工程を行う洗濯乾燥運転を選択した場合、制御装置１０は、リント除去工程を実行した後、洗い、すすぎ、脱水を行う洗濯工程と、洗濯工程が終了した洗濯物を乾燥する乾燥工程とを順次実行する。
【００３６】
具体的には、ユーザが洗濯物を回転槽１４に投入した後に洗濯乾燥運転が開始されると、制御装置１０はモータ１６を駆動して回転槽１４に収容された洗濯物の重量を検知し、検出した重量をメモリ１０ａに記憶させる。その後、制御装置１０は、検出した洗濯物の重量に基づいて適正な洗剤量を操作パネル４の表示部に表示するとともにリント除去工程を実行する。
【００３７】
リント除去工程では、図９に示すように、制御装置１０が、今回の運転より前に実行した乾燥工程のうち直近の乾燥工程を実行した運転の開始時に検出した洗濯物の重量を、前回の乾燥工程において乾燥させた洗濯物の重量としてメモリ１０ａから呼び出す（ステップＳ１）。
【００３８】
そして、制御装置１０は、図１０に示すようなテーブルにしたがって、呼び出した洗濯物の重量からリント除去工程において放水部７０の噴射口７２から噴射する水量を設定する（ステップＳ２）。本実施形態では、メモリ１０ａより呼び出した洗濯物の重量が大きいほど噴射口７２から噴射する水量が多くなっており、例えば、洗濯物の重量が、１ｋｇ、２ｋｇ、３ｋｇ、４ｋｇ、５ｋｇ、６ｋｇ、７ｋｇの場合、噴射口７２から噴射する水量を６００ｇ、７５０ｇ、９００ｇ、１０５０ｇ、１２００ｇ、１３５０ｇ、１５００ｇに設定する。
【００３９】
その後、制御装置１０は、排水弁１２を開放するとともに、入力部４１ａと第二出水部４１ｃを連通する第二開放状態に給水弁４１を切り替える（ステップＳ３）。これにより、給水ホース４３から供給された水が、給水管７１を流れた後、放水部７０の噴射口７２よりフィルタ６０の上面に向けて噴射され、フィルタ６０に付着したリントを洗い流し、リントとともに排水口１１から洗濯乾燥機１の外部へ排出される。このように、フィルタ６０からリントを洗い流した水は、水槽７に溜まること無く排水口１１より洗濯乾燥機１の外部へ排出されるため、その後に実行する洗濯工程においてフィルタ６０から洗い流したリントが洗濯物に付着することがない。
【００４０】
そして、制御装置１０は、放水部７０の噴射口７２から放水した水量がステップＳ２で決定した水量に達すると（ステップＳ４のＹｅｓ）、排水弁１２を閉鎖するとともに、入力部４１ａと第一出水部４１ｂを連通する第一開放状態に給水弁４１を切り替えてリント除去工程を終了し、洗い、すすぎ、脱水を行う洗濯工程を開始する（ステップＳ５）。
【００４１】
本実施形態では、水槽７の排気口１９と排気ダクト２２との間にフィルタ６０を設けるとともに、排気ダクト２２の蛇腹部２２ａより空気流れ方向の下流側にフィルタ６０に対して水を噴射する放水部７０を設けている。そのため、リントが付着しやすい蛇腹部２２ａより空気流れ方向の上流側にフィルタ６０を設けることができ、蛇腹部２２ａへのリントの付着を防止することができる。しかも、蛇腹部２２ａを圧縮する方向に変形させて上に持ち上げることで放水部７０を取り外すことなくフィルタ６０を着脱することができ、メンテナンス時の作業性を向上させることができる。
【００４２】
また、本実施形態では、水槽７に対して取り外し可能なフィルタ設置部材６２にフィルタ６０が設けられているため、水槽７へのフィルタ６０の着脱が容易になり、メンテナンス時の作業性を更に向上させることができる。
【００４３】
なお、本実施形態では、洗濯工程の開始前にリント除去工程を実行する場合について説明したが、洗濯工程が終了してから乾燥工程を開始するまでの間にリント除去工程を実行したり、乾燥工程の終了後であって使用者が回転槽１４から洗濯物を取り出してから次回の洗濯工程を開始する前までにリント除去工程を実行したり、あるいは、使用者が操作パネル４より指示した時にリント除去工程を実行するなど、任意のタイミングでリント除去工程を実行することができるが、洗濯工程や乾燥工程の開始前にリント除去工程を実行することで、放水部７０から放水された水が水槽７に供給されても、リント除去工程の終了後に実行する工程に影響がなく、フィルタ６０からリントを除去することができる。
【００４４】
また、本実施形態では、前回の乾燥工程において乾燥させた洗濯物の重量に応じてリント除去工程において放水部７０の噴射口７２から噴射する水量を変化させたが、洗濯物の重量に替えて、あるいは、洗濯物の重量に加えて前回の乾燥工程において乾燥させた洗濯物の種類に応じて噴射口７２から噴射する水量を変化させてもよい。
【００４５】
例えば、運転を開始する前に洗濯物の種類が綿製あるいは化学繊維製のいずれであるのかを操作パネル４から使用者が設定し、設定した洗濯物の種類をメモリ１０ａに記憶させておく。そして、制御装置１０は、前回の乾燥工程において乾燥させた洗濯物の重量に加え、今回の運転より前に実行した乾燥工程のうち直近の乾燥工程を実行した運転の開始前に設定した洗濯物の種類を、前回の乾燥工程において乾燥させた洗濯物の種類としてメモリ１０ａから呼び出し、図１１に示すようなテーブルにしたがって、呼び出した洗濯物の重量と種類からリント除去工程において放水部７０の噴射口７２から噴射する水量を設定する。
【００４６】
すなわち、洗濯物の種類が綿製であると、洗濯物の重量が１ｋｇ、２ｋｇ、３ｋｇ、４ｋｇ、５ｋｇ、６ｋｇ、７ｋｇの場合、噴射口７２から噴射する水量を６００ｇ、７５０ｇ、９００ｇ、１０５０ｇ、１２００ｇ、１３５０ｇ、１５００ｇに設定する。また、洗濯物の種類が化学繊維製であると綿製の場合に比べてリントの発生量は少ないと判断して噴射口７２から噴射する水量が少なくなっており、洗濯物の重量が１ｋｇ、２ｋｇ、３ｋｇ、４ｋｇ、５ｋｇ、６ｋｇ、７ｋｇの場合、噴射口７２から噴射する水量を４５０ｇ、５５０ｇ、６７５ｇ、８００ｇ、９００ｇ、１０００ｇ、１１２５ｇに設定する。
【００４７】
このような場合、フィルタ６０に付着したリントの発生量や質に応じて放水部７０からフィルタ６０へ放水する水量を最適に決定することができ、使用する水量を抑えつつフィルタ６０からリントを余すこと無く除去することができる。
【００４８】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４９】
１…洗濯乾燥機、７…水槽、１１…排水口、１２…排水弁、１３…配水管、１４…回転槽、１７…筒部、１８…循環風路、１９…排気口、２０…給気口、２２…排気ダクト、２２ａ…蛇腹部（変形部）、２３…補助フィルタ装置、２４…中間ダクト、２６…給気ダクト、２７…送風ファン、２８…フィルタケース、２９…補助フィルタ、３０…熱交換部、４０…給水装置、４１…給水弁、５０…フィルタ洗浄部、５１…ダクト本体、６０…フィルタ、６２…フィルタ設置部材、６３…取付部、６４…鍔部、６５…接続部、７０…放水部、７１…給水管、７２…噴射口、７３…貯水部
【図１】
2018117898.tif 000003
【図２】
2018117898.tif 000004
【図３】
2018117898.tif 000005
【図４】
2018117898.tif 000006
【図５】
2018117898.tif 000007
【図６】
2018117898.tif 000008
【図７】
2018117898.tif 000009
【図８】
2018117898.tif 000010
【図９】
2018117898.tif 000011
【図１０】
2018117898.tif 000012
【図１１】
2018117898.tif 000013